(57)【要約】【課題】  ラムネ、チョコレ−ト、タブレット状の菓子等の粒を箱に収納する。蓋を開け、手で受けてそれを口に入れるか、もしくは直接口に入れるがである。そのため、研究所や作業所、休憩所の時、箱を開けるのがスムーズにできない、もしくは手で粒を汚染される点に課題がある。【解決手段】  粒を入れる箱において、レバーと遮蔽板とのシーソー状を回転軸し、粒が飛翔する装置。【選択図】図１
2018167905.tif 000002
【特許請求の範囲】
【請求項１】
ラムネ、チョコレ−ト、タブレット状の菓子、ハッカ、カプサイシン、カフェイン、糖類等の粒を入れる透明なプラスチックの箱において、レバーと丸い穴のあいた遮蔽板とのシーソー状に結ぶ回転軸があり、レバーが斜めに上がると、丸い穴のあいた遮蔽板が斜めに下がると、同時に第１の粒が落ちると、同時に第１の粒と第２の粒が丸い穴のあいた遮蔽板に遮蔽されると、同時にガイド板が斜めに落ち、レバーの弾性体を離すと、第１の粒が飛翔する装置。
【請求項２】
一対のプラスチックのカバーを付ける請求項１
【発明の詳細な説明】
【発明の詳細な説明】
【技術分野】
【０００１】  本発明は、ラムネ、チョコレ−ト、タブレット状の菓子等の粒を箱に収納して、携帯し、研究所や作業所、休憩所の中でリラックスして、箱の中身を直接、口にすることのできるものである。
【背景技術】
【０００２】  従来、ラムネ、チョコレ−ト、タブレット状の菓子等の粒を箱に収納する。そして、箱を手で開け（その１）、当該の菓子等を、もう片方の手で受け（その２）、口に持ってくる（その３）。すなわち、３動作をしなければならない。
【先行技術文献】
【特許文献】
【特許文献１】特開２０００−１８５７３４明細書
【特許文献２】特表２００６−５２０３０３明細書
【特許文献３】米国特許第３９４２６８３号明細書
【発明の概要】
【発明が解決しようとする課題】
【０００３】  研究所や作業所、休憩所の中で、ラムネ、チョコレ−ト、タブレット状の菓子等の菓子の粒をつまみたくなる場合がある。小出しする携帯用の振り出しカートンでは片手で箱を持ち、もう片方の手に受ける。しかし、受け手が汚れていて、手の薬や油が気になる（特許文献１）。取り出し錠剤ディスペンサーでは箱から直接上手に口に入れるのは困難を伴う（特許文献２）。【０００４】  また、仕事中や勉強中に疲れたり、ぼうっとしたりする時、刺激を求めたり、リラックスしたくなる場合がある。
【発明を解決するための手段】
【０００５】  菓子の粒を遮断されていて、次にそのままレバーで飛翔をする装置。
【０００６】  装置に刺激やリラックスするカバーを付ける。
【発明の効果】
【０００７】  以上の説明から明らかなように、本発明にあっては次に列挙する効果が得られる。
（１）遮蔽板とで構成されているので、菓子の粒が箱をこぼれないようにできる。
【０００８】  （２）レバーと遮蔽板での回転軸とで構成されているので、レバーで粒を飛翔することができる。
【０００９】  （３）鳥や写真などのカバーとで構成されているので、刺激やリラックスすることができる。
【図面の簡単な説明】
【００１０】
【図１】本発明による好ましい実施の形態の装置の説明図で、（ａ）、（ｃ）は正面断面図、（ｂ）は右側面図、及び（ｄ）は回転軸部分である。
【図２】本発明による箱の図で、（ａ）は正面図、（ｃ）は右側面図、（ａ）は下面図である。
【図３】本発明による粒の遮蔽板およびガイド板で、（ａ）は正面断面図、（ｂ）は右側面図、（ｃ）は平面図である。
【図４】本発明による粒と箱、遮蔽板およびガイド板に関する仕組み図で、（ａ）は平面図、（ｂ）は正面図である。
【図５】本発明による（ａ）は本体とカバー、（ｂ）はカバー（ｃ）はガイド板である。
【発明の実施するための形態】
本発明の装置を実施の形態に沿って以下に詳細に説明する。
【実施例１】
【００１１】  図１の（ａ）は、本発明による好ましい実施の形態の正面断面図であり、ゴム５は板状であり、シーソー状で軸に円筒形につながっている。図１の（ｄ）はゴム５の回転軸１１を通してあり、本体１と本体２を固定している。なお、回転軸１１はボルトとナットを絞めてよい。【００１２】  そのゴム５は、下部で四角形の錘でできているレバー６と、中部で弾性体と、上部で薄く且つビス１５で締めつけている。シーソー状は錘とビスで固定している。なお、中部ではスプリングバネでよい。【００１３】  本体１は壁（斜線部）があり、ゴム５の対角線に壁（斜線部）がない。壁（斜線部）がないのはシーソー状にゴム５が規定しているからだ。また、図１の（ｂ）で、本体１と本体２であわさっていて、それぞれ、二個のボルト１２とナット１７と、ボルト１３とナット１６で絞めている。
図１の（ｃ）はバネ板３と壁（斜線部）を密着し、ビス１５で絞めている。バネ板３はゴム４を飛翔するためにある。もちろん、ゴム５は弾性体で飛翔するためにある。なお、本体１、本体２、箱４、は透明なプラスチック製で、ゴム５はゴム製、ポリウレタン製で、遮蔽板７、ガイド板８は特に透明度の高いポリプロピレンである。図１の（ｂ）の最上部で壁（斜線部）と箱４を密着し、ビス１４で絞めている。【００１４】  図２の側面図（ｂ）は、めねじ９であり、先ほど述べたように図１の最上部の壁（斜線部）とめねじ９を密着し、ビス１４で絞めている。正面図（ａ）の上部は粒が汚れないように、箱４を蓋でしめている。なお、蓋は蝶番でもいいし、弾力的にでもいい。また、下面図（ｃ）は、長方形と、粒、いわゆる丸い錠剤の軸を中心に割った楕円形が合わさっている。図４の（ａ）を参考にしたい。【００１５】  図３の断面図（ａ）はゴム３を遮蔽板７、およびガイド板８がそれぞれのビス１８、１９で固定する。右側図（ｂ）の下段はガイド板８がある。ガイド板８は粒が落ちないように通る通り道である。平面図（ｃ）の上段は遮蔽板７が第１の粒２０の穴の直径より大きな直径である。すなわち、粒の通り穴１０である。【００１６】なお、第１の粒２０はラムネ、チョコレ−ト、タブレット状の菓子、ハッカ、カプサイシン、カフェイン、糖類等の味と刺激である。第１の粒２０は薬でもいい。しかし、薬の時間を限られているので、タイマーとロックが必要だ。【００１７】  図４の（ａ）、（ｂ）は本発明に関する仕組み図である。図４の（ａ）の平面図は、▲１▼左図は箱４の中に入っている第１の粒２０が、遮蔽板７からまだ落ちない。遮蔽板７の空間が狭いためだ。▲２▼しかし、右図は遮蔽板７の左側にスライドすると、第１の粒２０が落ちる。【００１８】  （ｂ）で見た正面図では、右図は▲１▼第１の粒２０は遮蔽板７から落ち込んでいる。▲２▼中央図は遮蔽板７が第１の粒２０と第２の粒２１は遮蔽する。▲３▼左図はさらに、ゴム５が矢印の左側に倒れて、第１の粒２０は斜めに落ち込む。そして、ゴム５が第１の粒２０に飛翔する。なお、飛翔する時は遮蔽板７が早く、第２の粒２１を遮蔽板７から落ちこまない。また、ゴム５が箱４に当たって、粒同士が再配列して、第１の粒２０が箱４の入口から穴を通り、出てくる。
【実施例２】
【００１９】  図５の（ａ）、（ｂ）、（ｃ）に本発明による本体１、２のカバーを示す。図５の（ａ）は本体１、２をカバー２２とカバー２３に合わせ、ビス２４、２５、２６、２７ではめる。
カバーであるが、プラスチック製（ＰＣ、ＰＳ、ＡＢＳ、ＰＭＭＡ、ＰＰ）である。
なお、ビスの代わりに長いボルトとナットでしめてもよい。【００２０】  図５の（ｂ）においては、カバー２２、２３を取り換えて、鳥、恐竜、ロケット、写真等でもよい。【００２１】  図５の（ｃ）は、ガイド板８で、へび、恐竜、エイリアンの舌等でもよい。【００２２】  総じて、レバー６と丸い穴のあいた遮蔽板７とをシーソー状に結ぶ回転軸１１がある。そして、レバー６が斜めに上がると、丸い穴のあいた遮蔽板が斜めに下がる。と同時に第１の粒２０と第２の粒２１が丸い穴のあいた遮蔽板７を遮蔽する。それと同時にガイドの板を斜めに落ちる。レバー６の弾性体を離すと、第１の粒２０が飛翔する。【００２３】  また、プラモデルの様にＯＨＰフィルムでドナーを印刷し、カッターナイフや鋏などと、クリップと、接着剤やセロハンテープなどで作成してもよい。
【産業上の利用可能性】
【００２４】  本発明は、粒を飛翔させる装置を製造する産業で利用される。
【符号の説明】
【００２５】１、２  本体
３  バネ板
４  箱
５  ゴム
６  レバー
７  遮蔽板
８  ガイド板
９  めねじ
１０  粒の通り穴
１１  回転軸
１２、１３  ボルト
１４、１５、１８、１９、２４、２５、２６、２７  ビス
１６、１７  ナット
２０  第１の粒
２１  第２の粒
２２、２３  カバー
【図１】
2018167905.tif 000003
【図２】
2018167905.tif 000004
【図３】
2018167905.tif 000005
【図４】
2018167905.tif 000006
【図５】
2018167905.tif 000007